(57)【要約】【課題】１つの画面であるにもかかわらず、情報表示用ディスプレイ部は、広い角度から見えるようにしたいが、利用者操作部は操作者のみ見えるようにしたいという相反する課題があった。そこで１つの画面で課題を解決する方法を提案する。【解決手段】情報表示用ディスプレイ部と利用者操作部を持つ、ＬＣＤユニット８Ｃにプライバシーフィルム８Ｂまたは８Ｅを取り付けるにより、１つの画面で情報表示・利用者操作領域をフィルタリングする。１つの画面であるにもかかわらず、情報表示用ディスプレイ部分は広い角度から見える様になり、利用者操作部は操作者のみ見えるようになる。これにより利用者のプライバシー保護と、情報表示手段が同時に可能となり、相反する表示を実現できる。【選択図】図５
2011054073.tif 000002
【特許請求の範囲】
【請求項１】
大画面（１７インチ以上）のＬＣＤとタッチパネルを備え、タッチパネルでの操作と現金／クレジットカードなどにより、券を購入できる顧客操作型端末において、１つの画面で情報表示用ディスプレイ部と利用者操作部を構成することを特徴とする利用者操作パネルの構造。
【請求項２】
請求項１の顧客操作型端末において、
利用者操作部だけに覗き見防止機能を有することを特徴とする利用者操作パネルの構造。
【請求項３】
請求項１の顧客操作型端末において、
利用者操作部だけに覗き見防止機能を実現するため、利用者操作部だけにプライバシーフィルムを備えた利用者操作パネルの構造。
【請求項４】
請求項１の顧客操作型端末において、
覗き見防止機能を有するため、プライバシーフィルムを貼り付けた利用者操作部とプライバシーフィルムを貼り付けていない情報表示用ディスプレイ部の境目を隠すカバーを備えた利用者操作パネルの構造。
【請求項５】
請求項４の利用者操作パネルにおいて、
プライバシーフィルムの境目を隠すため、情報表示用ディスプレイ部全体を隠すカバーを備えた利用者操作パネルの構造。
【請求項６】
請求項４の利用者操作パネルにおいて、
境目を無くすため、画像をフィルタリングする部分としない部分（透過領域）の機能を備えたプライバシーフィルムを備えた利用者操作パネルの構造。
【請求項７】
顧客操作型端末が、請求項１から６に記載事項を特徴とする券売機または発券機。
【請求項８】
顧客操作型端末が、請求項１から６に記載事項を特徴とする自動現金支払機。
【請求項９】
顧客操作型端末が、請求項１から６に記載事項を特徴とする航空機券売機または自動チェックイン機。
【請求項１０】
顧客操作型端末が、請求項１から６に記載事項を特徴とする機能を持った自動機。
【発明の詳細な説明】
【技術分野】
【０００１】
本発明は、顧客操作型端末及びその表示装置に関し、１つの画面で視野角が相異なるディスプレイ持った顧客操作型端末に関するものである。
【背景技術】
【０００２】
顧客操作型端末の１つである自動券売機等は、利用者操作部と情報表示用ディスプレイを有している。情報表示用ディスプレイは操作している利用者のみならず、後ろに並んでいる利用者にも必要な情報が提供できるので、券売機の情報表示部として実用化されている。実際の券売機では、情報表示用ディスプレイは固定の情報のみの表示を行うだけで実用上十分であった。
【０００３】
そのため、情報表示用ディスプレイ部の表示は、従来から安価な方法としてアクリル板に固定表示を印刷して表示していたが、顧客サービスの面から鑑みると、この方法では、情報量も限定されており十分とは言いがたくなってきた。また、情報の変更、追加の方法も容易ではなかった。これらを解決する手段として、情報表示用ディスプレイ用に情報表示専用ディスプレイを設ける方法も実用化されていた。
【０００４】
しかしながら専用の情報用ディスプレイを設ける事により、情報を制御する装置・ディスプレイ等のコストが掛かるという欠点があった。
【０００５】
この改善策として、情報表示専用ディスプレイと利用者操作部を、１つの大画面(１７インチ以上)で使用する事により、同じ画面の中で表示・操作する事を考えている。１つの画面である為、情報を制御する装置・情報表示専用ディスプレイ等のコストが掛からない利点がある。しかし、利用者操作部は操作者のみ見える様に、情報表示用ディスプレイ部は広い角度から見えるように、という相反する表示をしなければならない課題があった。
【先行技術文献】
【特許文献】
【０００６】
【特許文献１】特開平６−１６２２９３号公報
【発明の概要】
【発明が解決しようとする課題】
【０００７】
利用者操作部は個人情報の保護から、操作者のみに見えるよう視認角度を狭くし、後方または隣の端末に並んでいる人には見づらくする必要がある。逆に情報表示用ディスプレイ部は視認角度を広くしてどこからでも見える必要があり、同じ画面の中で視認角度が狭い部分と広い部分を共存させる課題があった。
【課題を解決するための手段】
【０００８】
本発明は上記課題を解決するため、次のような手段を採用した。
【０００９】
ＬＣＤユニット、プライバシーフィルム、タッチパネルの構造をもつ利用者操作パネルで情報表示用ディスプレイ部の視認角度を広くする場合、プライバシーフィルムのフィルムカット面露出の防止及び組立バラツキによるフィルムの傾きが見えることを防止することを目的とした情報表示用ディスプレイ部と利用者操作部の境界にカバーを使用する仕組みを構築する。
【００１０】
ＬＣＤユニット、プライバシーフィルム、タッチパネルの構造をもつ利用者操作パネルで情報表示用ディスプレイ部の視認角度を広くする場合、プライバシーフィルムの情報表示用ディスプレイ部と利用者操作部の境界にカバーを  使用する仕組みを構築する。
【００１１】
ＬＣＤユニット、プライバシーフィルム、タッチパネルの構造をもつ利用者操作パネルで情報表示用ディスプレイ部の視認角度を広くする場合、プライバシーフィルムの情報表示用ディスプレイ部を透明にしたものを使用する仕組みを構築する。
【発明の効果】
【００１２】
操作部のみフィルターを貼り付ける、または透明部分とフィルタリングする部分を有するフィルターを、貼り付けることにより利用者のプライバシー保護と、情報表示手段が同時に可能となり、相反する表示を実現できる。
【図面の簡単な説明】
【００１３】
【図１】本実施例における券売機の概観を示した図である。
【図２】タッチパネルとプライバシーフィルム・ＬＣＤユニットの位置関係を示す説明図である。
【図３】プライバシーフィルムによりフィルタリング実施方法を示した説明図である（実施例１）。
【図４】プライバシーフィルムによりフィルタリング実施方法を示した説明図である（実施例２）。
【図５】プライバシーフィルムによりフィルタリング実施方法を示した説明図である（実施例３）。
【発明を実施するための形態】
【００１４】
図１は、本実施例における自動券売機１の概観図である。１は自動券売機であり、正面には、１つの画面で情報表示用ディスプレイ表示部と利用者操作部を持つタッチパネル付ＬＣＤユニット８を縦置きに配している。利用者は、タッチパネル付ＬＣＤユニット８を操作して目的の券を発行する。なお、自動券売機１は、タッチパネル付ＬＣＤユニット８の他、硬貨を投入する為の硬貨投入口２、釣銭が放出される硬貨放出口２Ａ、暗証番号等を入力するテンキー３、紙幣を投入する為の紙幣投入口４、釣銭が放出される紙幣放出口４Ａ、非接触ＩＣカードリーダ・ライタ５、利用者の目的の券を発券する券発券口６、クレジットカード等を読み取るカード投入口７が備えられている。
【００１５】
図２は、情報表示用ディスプレイ表示部と利用者操作部を持つタッチパネル付ＬＣＤユニット８のタッチパネル８Ａとプライバシーフィルム８Ｂ・ＬＣＤユニット８Ｃの位置関係を示す図であり、タッチパネル８ＡとＬＣＤユニット８Ｃの間にプライバシーフィルム８Ｂが入っている。
【００１６】
図３の実施例は、ＬＣＤユニット８Ｃにプライバシーフィルム８Ｂを利用者操作部のみ貼り付ける事により相反する表示を実現したものである。この場合プライバシーフィルム８Ｂの断面９が見えてしまい、美観を損なうという欠点があった。この欠点を解決した、図４の実施例を示す。図３の実施例にＬＣＤユニット８Ｃの情報表示用ディスプレイ表示部と利用者操作部のプライバシーフィルム断面９の境界にカバー８Ｄを設けることで美観を解決する。同様の実施例として、図５を示す。透過領域（中抜け領域）９Ａとフィルタリングする部分９Ｂを有するプライバシーフィルム８Ｅを、ＬＣＤユニット８Ｃに貼り付けることで美観の問題を解決する。
【００１７】
尚、本発明は、利用者操作部と情報表示用ディスプレイを有する全ての顧客操作型端末へ適用が可能である。
【符号の説明】
【００１８】
１…自動券売機、２…硬貨投入口、２Ａ…硬貨放出口、３…テンキー、４…紙幣投入口、４Ａ…紙幣放出口、５…非接触ＩＣカードリーダ・ライタ、６…券発券口、７…カード投入口、８…タッチパネル付ＬＣＤユニット、８Ａ…タッチパネル、８Ｂ…プライバシーフィルム、８Ｃ…ＬＣＤユニット、８Ｄ…カバー、８Ｅ…透過領域とフィルタリングする部分を有するプライバシーフィルム、９…プライバシーフィルム断面、９Ａ…透過領域、９Ｂ…フィルタリング領域。
【図１】
2011054073.tif 000003
【図２】
2011054073.tif 000004
【図３】
2011054073.tif 000005
【図４】
2011054073.tif 000006
【図５】
2011054073.tif 000007